(57)【要約】【課題】回転負荷の増大を防ぎ、円滑な回転を保つ回転清掃体、吸込口体、および電気掃除機を提案する。【解決手段】回転清掃体２９は、軸状の清掃体基部６１、清掃体基部６１のそれぞれの端部に固定される一対の軸端部６２、６３、および一対の軸端部６２、６３のそれぞれに固定される一対のジャーナル部６６、６７を有する軸芯部６８と、一対のジャーナル部６６のそれぞれに設けられる回転自在な一対の軸受７２、７３と、清掃体基部６１に設けられる清掃体５２と、軸受７３を包み込む軸受保護部７５、および隙間７６を隔てて軸端部６３を覆うとともに糸状塵埃を巻き付け自在な筒形状部７７を有する軸芯端鞘部７８と、を備える。【選択図】  図４
2014171808.tif 000002
【特許請求の範囲】
【請求項１】
軸状の清掃体基部、前記清掃体基部のそれぞれの端部に固定される一対の軸端部、および前記一対の軸端部のそれぞれに固定される一対のジャーナル部を有する軸芯部と、
前記一対のジャーナル部のそれぞれに設けられる回転自在な一対の軸受と、
前記清掃体基部に設けられる清掃体と、
前記一対の軸受の一方を包み込む軸受保護部、および隙間を隔てて前記一対の軸端部の一方を覆うとともに糸状塵埃を巻き付け自在な筒形状部を有する軸芯端鞘部と、を備える回転清掃体。
【請求項２】
前記軸芯端鞘部は人力で変形自在な弾性材料製である請求項１に記載の回転清掃体。
【請求項３】
前記軸受に設けられて前記筒形状部の内周面の形状を保つ保形枠体を備える請求項１または２に記載の回転清掃体。
【請求項４】
吸込口を有する吸込口本体と、
請求項１から３のいずれか１項に記載の前記回転清掃体を前記吸込口に配置して支える清掃体支持部と、
前記回転清掃体を駆動させる駆動源と、を備える吸込口体。
【請求項５】
掃除機本体と、
前記掃除機本体に収容されて負圧を発生させる電動送風機と、
請求項１から３のいずれか１項に記載の前記回転清掃体を有して前記電動送風機の発生させる負圧で空気を吸い込む吸込口体と、を備える電気掃除機。
【発明の詳細な説明】
【技術分野】
【０００１】
本発明に係る実施形態は回転清掃体、吸込口体、および電気掃除機に関する。
【背景技術】
【０００２】
吸込口体に設けられる回転清掃体は、軸芯と、軸芯から延びる毛ブラシ等の清掃体と、軸芯を吸込口体に回転自在に保持する軸受と、を備える。軸受は軸芯の両端部それぞれに設けられる。
【０００３】
吸込口体は、回転清掃体を回転駆動させるモータやタービン等の駆動源を備える。
【先行技術文献】
【特許文献】
【０００４】
【特許文献１】特開２０１０−２７３８７２号公報
【発明の概要】
【発明が解決しようとする課題】
【０００５】
回転清掃体は回転して被掃除面を掃く。このため、髪の毛や糸くず等の糸状塵埃が回転清掃体に巻き付いてしまうことがある。
【０００６】
ところで、回転清掃体は、軸受に隣接する部材と軸受とを隔てる僅かな隙間を有する。なお、軸受に隣接する部材とは、清掃体の抜け止めをする部材や、駆動源から動力の伝達を受けるプーリーなどである。この隙間は、軸受に隣接する部材と軸受との接触を防いで回転清掃体の円滑な回転を保つ。
【０００７】
従来の回転清掃体では、軸受に隣接する部材と軸受との隙間が露出しているため、糸状塵埃がこの隙間に巻き付く虞があった。糸状塵埃がこの隙間に巻き付いて隙間が埋まってしまった場合、回転負荷が増大する結果、回転清掃体は回転数低下や、回転停止に至る。
【０００８】
そこで、本発明は、回転負荷の増大を防ぎ、円滑な回転を保つ回転清掃体、吸込口体、および電気掃除機を提案する。
【課題を解決するための手段】
【０００９】
前記の課題を解決するため本発明の実施形態に係る回転清掃体は、軸状の清掃体基部、前記清掃体基部のそれぞれの端部に固定される一対の軸端部、および前記一対の軸端部のそれぞれに固定される一対のジャーナル部を有する軸芯部と、前記一対のジャーナル部のそれぞれに設けられる回転自在な一対の軸受と、前記清掃体基部に設けられる清掃体と、前記一対の軸受の一方を包み込む軸受保護部、および隙間を隔てて前記一対の軸端部の一方を覆うとともに糸状塵埃を巻き付け自在な筒形状部を有する軸芯端鞘部と、を備える。
【００１０】
また、本発明の実施形態に係る吸込口体は、吸込口を有する吸込口本体と、前記回転清掃体を前記吸込口に配置して支える清掃体支持部と、前記回転清掃体を駆動させる駆動源と、を備える。
【００１１】
さらに、本発明の実施形態に係る電気掃除機は、掃除機本体と、前記掃除機本体に収容されて負圧を発生させる電動送風機と、前記回転清掃体を有して前記電動送風機の発生させる負圧で空気を吸い込む吸込口体と、を備える。
【図面の簡単な説明】
【００１２】
【図１】本発明の実施形態に係る電気掃除機を示す斜視図。
【図２】本発明の実施形態に係る吸込口体を右前方から示す斜視図。
【図３】本発明の実施形態に係る吸込口体の内部を示す平面図。
【図４】本発明の実施形態に係る回転清掃体を示す平面図。
【発明を実施するための形態】
【００１３】
本発明に係る回転清掃体、吸込口体、および電気掃除機の実施形態について、図１から図４を参照して説明する。
【００１４】
図１は、本発明の実施形態に係る電気掃除機を示す斜視図である。
【００１５】
図１に示すように、本実施形態に係る電気掃除機１は、いわゆるキャニスタ型の電気掃除機である。電気掃除機１は、被掃除面上を走行可能な掃除機本体２と、掃除機本体２に着脱自在に接続可能な管部３と、を備える。
【００１６】
掃除機本体２は、本体ケース５と、本体ケース５の両側方それぞれに配置される一対の車輪６と、本体ケース５の前半部に配置される着脱自在な塵埃分離集塵部７と、本体ケース５の後半部に収納される電動送風機８と、主に電動送風機８の運転を制御する本体制御部９と、電動送風機８に電力を導く電源コード１１と、を備える。
【００１７】
本体ケース５は、管部３を着脱自在な継手としての本体接続口１２を備える。本体接続口１２は、掃除機本体２の流体的な入口であり、管部３と塵埃分離集塵部７とを流体的に接続する。
【００１８】
車輪６は、大径の走行輪である。
【００１９】
塵埃分離集塵部７は、電動送風機８が発生させる負圧によって被掃除面から管部３を経て流れ込む塵埃を含んだ空気（以下、「含塵空気」と呼ぶ。）から塵埃を分離し、捕集し、蓄積する。他方、塵埃分離集塵部７は、塵埃が除去された清浄な空気を電動送風機８へ送る。
【００２０】
本体制御部９は、マイクロプロセッサ（図示省略）、マイクロプロセッサが実行する各種演算プログラム、パラメータなどを記憶する記憶装置（図示省略）を備える。本体制御部９は、予め設定される複数の運転モードを記憶装置に記憶する。予め設定される複数の運転モードは、管部３で受け付ける使用者の操作に対応する。それぞれの運転モードは相互に異なる入力値（電動送風機８の入力値）を有する。本体制御部９は、使用者による操作入力を管部３から読み取り、操作入力に関連付けられる任意の運転モードを予め設定された複数の運転モードから択一的に選択し、選択した運転モードにしたがって電動送風機８を運転する。
【００２１】
電源コード１１は、配線用差込接続器（図示省略、所謂コンセント）から掃除機本体２へ電力を供給する。電源コード１１は自由端部に設けられる差込プラグ１４を備える。
【００２２】
管部３は、電動送風機８の運転にともなって掃除機本体２から作用する負圧によって、被掃除面から含塵空気を吸い込み掃除機本体２に案内する。管部３は、掃除機本体２に着脱自在に接続される継手としての接続管１９と、接続管１９に流体的に接続される集塵ホース２１と、集塵ホース２１に流体的に接続される手元操作管２２と、手元操作管２２から突出する把持部２３と、把持部２３に設けられる操作部２４と、手元操作管２２に着脱自在に接続される延長管２５と、延長管２５に着脱自在に接続される吸込口体２６と、を備える。
【００２３】
接続管１９は、本体接続口１２を通じて塵埃分離集塵部７に流体的に接続される。
【００２４】
集塵ホース２１は、長尺で可撓な略円筒形状のホースである。集塵ホース２１の一方の端部（ここでは、後方の端部）は接続管１９に接続される。集塵ホース２１は、接続管１９を通じて塵埃分離集塵部７に流体的に接続される。
【００２５】
手元操作管２２は、集塵ホース２１と延長管２５とを中継する。手元操作管２２の一方の端部（ここでは、後方の端部）は、集塵ホース２１の他方の端部（ここでは、前方の端部）に流体的に接続される。手元操作管２２は、集塵ホース２１および接続管１９を通じて塵埃分離集塵部７に流体的に接続される。
【００２６】
把持部２３は電気掃除機１を操作するために使用者の手に把持される。把持部２３は、使用者が容易に把持できる適宜の形状を呈して手元操作管２２から突出する。
【００２７】
操作部２４は、それぞれの運転モードに対応付けられるスイッチを備える。具体的には、操作部２４は、電動送風機８の運転停止操作の入力を受け付ける停止スイッチ２４ａと、電動送風機８の運転開始操作の入力を受け付ける起動スイッチ２４ｂと、を備える。操作部２４は、起動スイッチ２４ｂに代えて、弱運転スイッチ（図示省略）、中運転スイッチ（図示省略）および強運転スイッチ（図示省略）を別個に備えていても良い。電気掃除機１の使用者は、操作部２４を操作して電動送風機８の運転モードを択一的に選択する。起動スイッチ２４ｂは、電動送風機８の運転中に、運転モードの選択スイッチとしても機能する。この場合、本体制御部９は、起動スイッチ２４ｂから操作信号を受け取る度に運転モードを強→中→弱→強→………の順で切り換える。なお、操作部２４は、起動スイッチ２４ｂに代えて、弱運転スイッチ（図示省略）、中運転スイッチ（図示省略）および強運転スイッチ（図示省略）を個別に備えていても良い。
【００２８】
延長管２５は、伸縮可能な細長略円筒状の管である。延長管２５は、複数の筒状体を重ね合わせたテレスコピック構造を有する。延長管２５の一方の端部（ここでは、後方の端部）は、手元操作管２２の他方の端部（ここでは、前方の端部）に着脱自在な継手構造を備える。延長管２５は、手元操作管２２、集塵ホース２１および接続管１９を通じて塵埃分離集塵部７に流体的に接続される。
【００２９】
吸込口体２６は、木床やカーペットなどの被掃除面上を走行自在あるいは滑走自在な構造を有するとともに、走行状態または滑走状態において被掃除面に対向する底面に吸込口２８を有する。また、吸込口体２６は、吸込口２８に配置される回転自在な回転清掃体２９と、回転清掃体２９を駆動させる電動機３１と、を備える。吸込口体２６の一方の端部（ここでは、後方の端部）と延長管２５の他方の端部（ここでは、前方の端部）とは着脱自在な継手構造を備える。吸込口体２６は、延長管２５、手元操作管２２、集塵ホース２１および接続管１９を通じて塵埃分離集塵部７に流体的に接続される。
【００３０】
電気掃除機１は、起動スイッチ２４ｂが運転開始操作を受け付けたとき、電動送風機８を始動させる。例えば、電気掃除機１は、電動送風機８が停止している状態で起動スイッチ２４ｂに対する操作を受け付けたとき、先ず電動送風機８を強運転モードで運転し、再び起動スイッチ２４ｂに対する操作を受け付けたとき、電動送風機８を中運転モードで運転し、三度、起動スイッチ２４ｂに対する操作を受け付けたとき電動送風機８を弱運転モードで運転し、以下同様に繰り返す。強運転モード、中運転モードおよび弱運転モードは、予め設定された複数の運転モードである。強運転モード、中運転モード、弱運転モードの順に電動送風機８に対する入力値は小さく設定される。始動した電動送風機８は、塵埃分離集塵部７から空気を排気してその内部を負圧（吸込負圧）にする。
【００３１】
塵埃分離集塵部７の負圧は、本体接続口１２、接続管１９、集塵ホース２１、手元操作管２２、延長管２５、および吸込口体２６を順次に通じて吸込口体２６の吸込口２８に作用する。電気掃除機１は、吸込口２８に作用した負圧によって、被掃除面上の塵埃を空気とともに吸い込んで被掃除面を掃除する。塵埃分離集塵部７は、電気掃除機１に吸い込まれた含塵空気から塵埃を分離し、蓄積する。他方、塵埃分離集塵部７は、含塵空気から分離した空気を電動送風機８へ送る。電動送風機８は塵埃分離集塵部７から吸い込んだ空気を掃除機本体２外へ排気する。
【００３２】
次に、吸込口体２６について詳細に説明する。
【００３３】
図２は、本発明の実施形態に係る吸込口体を右前方から示す斜視図である。
【００３４】
図２に示すように、本実施形態に係る吸込口体２６は、略直方体形状の箱状の吸込口本体３２と、吸込口本体３２の後部に配置される接続管部３３と、を備える。
【００３５】
吸込口本体３２は、平面視において前後方向に短く、左右方向に長い長方形状の外観を呈する。なお、図２中の実線矢Ｘ方向を吸込口体２６の前方向または前進方向、その反対方向を後方向または後退方向とする。また、図２中の実線矢Ｙ方向、つまり電気掃除機１の使用者から見て左手の方向を左方向、その反対方向を右方向とする。さらに、図２中の実線矢Ｚ方向、つまり電気掃除機１の使用者の頭側を上方向とし、その反対方向を下方向とする。
【００３６】
また、吸込口本体３２は、平面視において前後方向に短辺、左右方向に長辺を有する長方形状のケース体３５を備える。ケース体３５は、上方に開放される箱状の下ケース３６と、下ケース３６を上方から覆う上ケース３７と、を備える。上ケース３７は前半側の上前部ケース３８と、後半側の上後部ケース３９と、を備える。
【００３７】
接続管部３３は、吸込口本体３２の後部、幅方向略中央部に設けられる。また、接続管部３３は、吸込口本体３２に対して回転自在に支持される回転接続管部４１と、回転接続管部４１に対して揺動自在に支持される揺動接続管部４２と、を備える。
【００３８】
回転接続管部４１は、吸込口体２６の前後方向に沿う軸（Ｘ軸に一致する軸またはＸ軸に平行な軸）回りに回転する。
【００３９】
揺動接続管部４２は、回転接続管部４１の回転軸（Ｘ軸に一致する軸またはＸ軸に平行な軸）に対して直交する軸回りに揺動する。揺動接続管部４２の自由端部は、延長管２５に着脱自在な継手構造を備える。
【００４０】
図３は、本発明の実施形態に係る吸込口体の内部を示す平面図である。
【００４１】
図３に示すように、本実施形態に係る吸込口体２６は、下ケース３６内に設けられる電動機３１と、下ケース３６内に設けられる吸込口体制御部４３と、を備える。
【００４２】
吸込口体２６の下ケース３６は、回転清掃体２９が収容される吸込室４５と、電動機３１が収容される機械室４６と、軸受室４７と、吸込口体制御部４３が収容される制御室４８と、を備える。
【００４３】
なお、上後部ケース３９は機械室４６および制御室４８に覆い被さり、上前部ケース３８は吸込室４５の上方に覆い被さる。
【００４４】
吸込室４５は吸込口本体３２の前半部に区画されて、吸込口本体３２の幅方向に延びる。吸込室４５は吸込口２８を通じて吸込口本体３２の底面に向けて開放される。
【００４５】
機械室４６は吸込口本体３２の後半部の右半部から右側部に渡って区画される。機械室４６は吸込室４５の右側方と後方の右半部とを囲む。
【００４６】
機械室４６および軸受室４７は、回転清掃体２９を吸込口２８に配置して着脱自在に支える一対の清掃体支持部５１を備える。清掃体支持部５１の一方は機械室４６内に配置され、下ケース３６の右側壁の内面に設けられる。清掃体支持部５１の他方は軸受室４７に内に配置され、下ケース３６の左側壁の内面に設けられる。
【００４７】
なお、機械室４６および軸受室４７は、吸込口体２６に対して左右反転させて配置されていても良い。
【００４８】
制御室４８は吸込口本体３２の後半部の左半部に区画される。制御室４８は吸込室４５の後方の左半部に配置される。
【００４９】
回転清掃体２９は、吸込室４５に収容されて吸込口本体３２の幅方向に回転中心線を向ける。回転清掃体２９は吸込口本体３２により着脱自在に支持される。回転清掃体２９は吸込室４５から取り出すことができる。回転清掃体２９は電動機３１によって駆動される。回転清掃体２９は吸込口２８内に配置される部分のほぼ全幅に渡って清掃体５２を備える。
【００５０】
電動機３１は、回転清掃体２９を駆動させる駆動源である。電動機３１は、機械室４６のうち吸込室４５の後方部分に配置される。電動機３１は吸込口本体３２の右側壁内面に向けて突出する出力軸３１ａを備える。出力軸３１ａの回転中心線は回転清掃体２９の回転中心線に対して略平行に配置される。なお、吸込口体２６は動力源として電動機３１に代えてエアタービンを備えていても良い。
【００５１】
吸込口体制御部４３は、掃除機本体２から接続管１９、集塵ホース２１、手元操作管２２および延長管２５を通じて供給される電力によって電動機３１の運転を制御する。
【００５２】
また、吸込口体２６は、吸込室４５と接続管部３３（より詳しくは、回転接続管部４１）とを流体的に中継するラッパ形状の中継管４９と、電動機３１を吸込口本体３２に浮動支持する電動機支持部５４と、電動機３１の出力軸３１ａの自由端部側に固定される主動歯車５０と、回転清掃体２９に設けられる従動歯車５３と、主動歯車５０と従動歯車５３とに巻掛けられて電動機３１から回転清掃体２９へ駆動力を伝える無端状のベルト５５と、を備える。
【００５３】
中継管４９は、吸込室４５の後方中央、つまり機械室４６と制御室４８との間に配置されて機械室４６と制御室４８とを隔てる。
【００５４】
電動機支持部５４は吸込口本体３２と電動機３１との間に介在して振動を遮断する。電動機支持部５４はシリコンゴムなどのゴム弾性体またはバネなどの弾性体である。電動機支持部５４は電動機３１の運転にともなう振動が吸込口本体３２に伝わらないよう遮断する一方、吸込口本体３２に加わる衝撃的な外力が電動機３１に伝わらないよう遮断する。
【００５５】
主動歯車５０、従動歯車５３、およびベルト５５は、電動機３１の駆動力を回転清掃体２９に伝達する伝達機構５７であり、各々相互に噛み合う歯５０ａ、５３ａ、５５ａを備える。
【００５６】
従動歯車５３は、機械室４６のうち吸込室４５の左側方部分に配置される。
【００５７】
ベルト５５は、機械室４６内にあって従動歯車５３および主動歯車５０に巻掛かる。ベルト５５は、ワイヤ（図示省略）で補強されている。
【００５８】
次に、回転清掃体２９について詳細に説明する。
【００５９】
図４は、本発明の実施形態に係る回転清掃体を示す平面図である。
【００６０】
図３および図４に示すように、本実施形態に係る回転清掃体２９は、軸状の清掃体基部６１、清掃体基部６１のそれぞれの端部に固定される一対の軸端部６２、６３、および一対の軸端部６２、６３のそれぞれに固定される一対のジャーナル部６６、６７を有する軸芯部６８と、一対のジャーナル部６６のそれぞれに設けられる回転自在な一対の軸受７２、７３と、清掃体基部６１に設けられる清掃体５２と、軸受７３を包み込む軸受保護部７５、および隙間７６を隔てて軸端部６３を覆うとともに糸状塵埃を巻き付け自在な筒形状部７７を有する軸芯端鞘部７８と、を備える。
【００６１】
軸芯部６８は、吸込口本体３２の左右それぞれの側壁の内面に設けられる一対の清掃体支持部５１に架け渡される。
【００６２】
清掃体基部６１は吸込室４５のほぼ全幅に渡って延び、軸芯部６８の大部分を占める。清掃体基部６１は、例えば合成樹脂やアルミニウムの一体成形品であり、円柱形状の外観を呈する。清掃体基部６１は、軸芯部６８の回転中心線方向(長手方向)に延びる複数の溝８１を有する。複数の溝８１は清掃体５２を保持するものであり、清掃体基部６１の全長に亘って延びるとともに、清掃体基部６１の外周面に略等間隔で配置される。複数の溝８１は、軸芯部６８の回転中心線方向(長手方向)に沿って直線状に延びていても良いし、螺旋状にねじれていても良い。
【００６３】
軸端部６２、６３それぞれは合成樹脂の一体成形品である。なお、説明を簡単にするために、以下の説明では一方の軸端部６２は吸込口体２６の右側（図３および図４における左側）に配置されるものとし、他方の軸端部６２は吸込口体２６の左側（図３および図４における右側）に配置されるものとする。
【００６４】
清掃体５２は、例えば拭取部材であるブレード、掻取部材であるブラシ毛、またはこれらの組み合わせである。清掃体５２は、回転清掃体２９の回転中心線に直交する方向、つまり清掃体基部６１の径方向へ延びるとともに、清掃体基部６１の両端部に渡って帯状に連なる。清掃体５２の基端側は清掃体基部６１の溝に保持される。
【００６５】
一方の軸端部６２は、円柱形状を呈して清掃体基部６１に連結される継手部８２と、継手部８２より小径な円柱形状を呈して継手部８２に連接される小径部８３と、小径部８３より大径な円筒形状を呈して小径部８３に連接される従動歯車５３と、を備える。
【００６６】
軸端部６２は、清掃体基部６１に対して同軸状に配置される。換言すると、清掃体基部６１、継手部８２、小径部８３、および従動歯車５３は互いに同軸状に配置される。
【００６７】
継手部８２は清掃体基部６１に連結される。継手部８２は、清掃体基部６１の溝８１のそれぞれに嵌め込まれる爪などの突起（図示省略）を備える。継手部８２は、清掃体基部６１の溝８１の一方の端部を突起で閉塞した状態で清掃体基部６１の端部に固定される。継手部８２は、清掃体基部６１の溝８１から清掃体５２が抜け出すことを防いでもいる。
【００６８】
従動歯車５３は伝達機構５７の一部である。従動歯車５３は継手部８２よりも小径な円筒形状を呈する。従動歯車５３の外周部には歯５３ａが設けられる。歯５３ａは軸芯部６８の回転中心線方向に沿い、かつ、従動歯車５３の周方向に略等間隔に並ぶ。従動歯車５３の小径部８３側の端部には、鍔部８５が全周に渡って設けられる。鍔部８５は、軸芯部６８の回転中心線に直交する方向（つまり、従動歯車５３の径方向）へ向けてフランジ状に突出する。
【００６９】
また、従動歯車５３の軸受７２側の端部には、軸受７２を部分的に侵入させる窪み形状の凹部５３ｂが設けられる。
【００７０】
軸受７２には、吸込口本体３２の清掃体支持部５１との間に挟み込まれる弾性部材８６が設けられる。弾性部材８６は、吸込口本体３２の清掃体支持部５１によって加圧保持される。すなわち、弾性部材８６は、弾性を失わない程度に圧縮された状態で保持される。これにより、軸受７２は弾性部材８６を介在させて吸込口本体３２に弾性的に支持されるとともに、回り止めされる。
【００７１】
他方の軸端部６３は、円柱形状を呈して清掃体基部６１に連結される継手部８７と、継手部８７から軸方向へ延びる延長部８８と、を備える。
【００７２】
軸端部６３は、清掃体基部６１に対して同軸状に配置される。換言すると、清掃体基部６１、継手部８７、および延長部８８は互いに同軸状に配置される。
【００７３】
継手部８７は清掃体基部６１に連結される。継手部８７は、清掃体基部６１の溝８１のそれぞれに嵌め込まれる爪などの突起（図示省略）を備える。継手部８７は、清掃体基部６１の溝８１の他方の端部を突起で閉塞した状態で清掃体基部６１の端部に固定される。継手部８７は、清掃体基部６１の溝８１から清掃体５２が抜け出すことを防いでもいる。
【００７４】
延長部８８は継手部８７と同径な円柱形状を呈する。延長部８８の軸受７３側の端部には、軸受７３を部分的に侵入させる窪み形状の凹部８９が設けられる。
【００７５】
ジャーナル部６６は、ステンレス等の金属製の軸体９１の一部である。軸体９１は軸端部６３にインサート成形などで固定される。つまり、ジャーナル部６７は軸端部６３から突出されている軸体９１の一部である。ジャーナル部６７は軸受７３の内周面に摺動自在に接する。
【００７６】
ジャーナル部６７は、軸芯部６８の回転中心線に対して同心状に配置される。軸体９１はジャーナル部６７に隣接させてジャーナル部６７よりも大径な軸受保持フランジ９２を備える。軸受保持フランジ９２は軸受７３の回転を許容しつつ、軸受７３がジャーナル部６７から脱落することを防ぐ。
【００７７】
軸受７３は、ジャーナル部６７に接して回転清掃体２９を回転自在に保持する一方、回転清掃体２９を吸込口体２６から取り外した際に脱落して紛失することを防ぐために軸体９１から抜けない構造を備える。具体的には、軸受７３は、円筒形状を呈してジャーナル部６７に接する軸受本体９３と、軸受本体９３の抜け止めを担う軸受カバー９５と、を備える。
【００７８】
軸受カバー９５は、軸体９１の軸受保持フランジ９２に引っ掛かり軸受７３全体の脱落を阻止するフランジ部９６と、フランジ部９６に固定されて軸受本体９３を保持する枠体部９７と、を備える。枠体部９７は軸芯部６８の軸端方向へ開放する筒形状を呈する。また、枠体部９７は、吸込口本体３２の清掃体支持部５１に対して回転を阻止するために軸芯部６８の回転中心線方向に見て四角形状の外周形状を呈する。
【００７９】
軸受本体９３は、潤滑油の含浸されたすべり軸受であり、自己潤滑性を発揮する所謂オイルレスベアリングである。軸受本体９３は、軸受カバー９５の枠体部９７に圧入されて保持される。
【００８０】
なお、ここまでのジャーナル部６７および軸受７３の構成は、回転清掃体２９の一方側の端部におけるジャーナル部６６および軸受７２も同じである。
【００８１】
そして、軸受７３は、軸受カバー９５に設けられて筒形状部７７の内周面の形状を保つ保形枠体９８を備える。
【００８２】
保形枠体９８は円筒形状を呈して軸受カバー９５に一体成形される。保形枠体９８は、軸受カバー９５から軸端部６３側へ向かって延び、延長部８８に到達する。保形枠体９８は延長部８８との間に隙間１０１を隔てて回転清掃体２９の円滑な回転を保つ。保形枠体９８は全周に渡って厚みのある筒であっても良いし、部分的に開口を有するカゴ状の枠体であっても良い。
【００８３】
軸芯端鞘部７８は、例えばゴム、あるいはエラストマなどの弾性材料製の成形品であり、人力で容易に変形自在な厚み（例えば０．５ｍｍから１ｍｍ程度）を有する。軸芯端鞘部７８は、清掃体５２の方向へ開放する有底円筒形状を呈し、小径な軸受保護部７５から大径な筒形状部７７に渡り段状の外観を呈する。
【００８４】
軸受保護部７５は、内周面に軸受７３を保持して包み込む。軸受保護部７５は、軸受７３の外形に対応して四角形状を呈する。軸受保護部７５は、吸込口本体３２の清掃体支持部５１によって加圧保持される。すなわち、軸芯端鞘部７８は、弾性を失わない程度に圧縮された状態で保持される。これにより、軸受７３は軸受保護部７５を介在させて吸込口本体３２に弾性的に支持されるとともに、回り止めされる。
【００８５】
筒形状部７７は、保形枠体９８に覆い被さることによって、軸端部６３との間に隙間７６を隔てる。筒形状部７７は清掃体５２を臨む端部に径外方向へ突出するフランジ形状の鍔部１０２を備える。
【００８６】
ところで、本実施形態に係る電気掃除機１は、電動機３１によって回転清掃体２９を回転駆動させながら塵埃を吸い込む。このとき、回転清掃体２９には、被掃除面上の毛髪や糸くずなど、長尺な繊維状の塵埃が巻き付いてしまう場合がある。
【００８７】
繊維状の塵埃が巻き付きやすい箇所は、清掃体５２および清掃体基部６１の周囲である。ただし、これらの箇所に繊維状の塵埃が巻き付いても、回転清掃体２９は回転を継続することが可能なため、電気掃除機１の動作には影響しない。
【００８８】
ところが、繊維状の塵埃が軸芯部６８と軸受７２、７３との間に挟まると、軸芯部６８と軸受７２、７３との相対的な回転が阻害され、つまり回転清掃体２９が回転しなくなる虞がある。
【００８９】
そこで、本実施形態に係る回転清掃体２９は、軸芯端鞘部７８を備える。回転清掃体２９は、軸芯端鞘部７８（詳しくは、筒形状部７７）に繊維状の塵埃を巻き付けることによって、繊維状の塵埃が軸芯部６８と軸受７３との間に到達することを防ぎ、回転清掃体２９の回転動作を維持させる。
【００９０】
なお、使用者は、軸芯端鞘部７８を保形枠体９８から抜き出し、変形させて縮径させることによって、軸芯端鞘部７８（詳しくは、筒形状部７７）に巻き付いた繊維状の塵埃を容易に除去できる。
【００９１】
他方、回転清掃体２９は、軸芯部６８の軸受７２側には従動歯車５３を備える。従動歯車５３にはベルト５５が巻掛かる。このため、繊維状の塵埃は軸芯部６８と軸受７２との間に到達し難い。
【００９２】
したがって、本実施形態に係る電気掃除機１、吸込口体２６、および回転清掃体２９は、軸芯端鞘部７８を備えることによって、繊維状の塵埃が軸芯部６８と軸受７２、７３との間に到達することを防ぎ、円滑な回転駆動を継続させる。
【００９３】
また、本実施形態に係る電気掃除機１、吸込口体２６、および回転清掃体２９は、軸受７２の弾性部材８６、および軸受７３の軸芯端鞘部７８（詳細には軸受保護部７５）の弾性によって回転駆動にともなう振動を吸収し、しかも、この振動が吸込口本体３２へと伝達されることを抑制する。このため、回転清掃体２９は、回転駆動にともなう振動によって発生する騒音を抑制させて、吸込口体２６の静音化を図る。
【００９４】
さらに、本実施形態に係る電気掃除機１、吸込口体２６、および回転清掃体２９は、人力で変形自在な弾性材料製の、軸芯端鞘部７８を備えることによって、回転清掃体２９からの軸芯端鞘部７８の取りはずしを容易にし、軸芯端鞘部７８に巻き付いた繊維状の塵埃の除去も容易化する。
【００９５】
さらにまた、本実施形態に係る電気掃除機１、吸込口体２６、および回転清掃体２９は、保形枠体９８を備えることによって、繊維状の塵埃が軸芯端鞘部７８に強く巻き付いて縮径しても、軸芯端鞘部７８が軸端部６３に接触することを防ぎ、回転清掃体２９の円滑な回転を保つ。
【００９６】
したがって、本実施形態に係る電気掃除機１、吸込口体２６、および回転清掃体２９によれば、回転負荷の増大を防ぎ、円滑な回転を保つことができる。
【００９７】
なお、本実施形態に係る電気掃除機１は、キャニスタ型のものに限らず、アップライト型、スティック型、あるいはハンディ型などのものであってもよい。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９９】
１  電気掃除機
２  掃除機本体
３  管部
５  本体ケース
６  車輪
７  塵埃分離集塵部
８  電動送風機
９  本体制御部
１１  電源コード
１２  本体接続口
１４  差込プラグ
１９  接続管
２１  集塵ホース
２２  手元操作管
２３  把持部
２４  操作部
２４ａ  停止スイッチ
２４ｂ  起動スイッチ
２５  延長管
２６  吸込口体
２８  吸込口
２９  回転清掃体
３１  電動機
３１ａ  出力軸
３２  吸込口本体
３３  接続管部
３５  ケース体
３６  下ケース
３７  上ケース
３８  上前部ケース
３９  上後部ケース
４１  回転接続管部
４２  揺動接続管部
４３  吸込口体制御部
４５  吸込室
４６  機械室
４７  軸受室
４８  制御室
４９  中継管
５０  主動歯車
５０ａ  歯
５１  清掃体支持部
５２  清掃体
５３  従動歯車
５３ａ  歯
５３ｂ  凹部
５４  電動機支持部
５５  ベルト
５５ａ  歯
５７  伝達機構
６１  清掃体基部
６２、６３  軸端部
６６、６７  ジャーナル部
６８  軸芯部
７２、７３  軸受
７５  軸受保護部
７６  隙間
７７  筒形状部
７８  軸芯端鞘部
８１  溝
８２  継手部
８３  小径部
８５  鍔部
８６  弾性部材
８７  継手部
８８  延長部
８９  凹部
９１  軸体
９２  軸受保持フランジ
９３  軸受本体
９５  軸受カバー
９６  フランジ部
９７  枠体部
９８  保形枠体
１０１  隙間
１０２  鍔部
【図１】
2014171808.tif 000003
【図２】
2014171808.tif 000004
【図３】
2014171808.tif 000005
【図４】
2014171808.tif 000006